(57)【要約】【課題】  画像処理装置のユーザからのアンケートにおいて、高い回答率に基づく有効な集計結果が得られない。【解決手段】  画像処理装置に対するユーザが指示したジョブを受け付ける入力受付部と、ジョブを実行した結果である実行結果に関するアンケートの情報であるアンケート情報を、ユーザに対して出力するアンケート情報出力部と、アンケートに回答した結果であるアンケート結果を受け付けるアンケート結果受付部と、アンケート結果が受け付けられた後、ユーザに対してクーポン情報を出力するクーポン情報出力部とを有する情報処理システムである。【選択図】図６
2019175339.tif 000002
【特許請求の範囲】
【請求項１】
画像処理装置に対するユーザが指示したジョブを受け付ける入力受付部と、
前記ジョブを実行した結果である実行結果に関するアンケートの情報であるアンケート情報を、前記ユーザに対して出力するアンケート情報出力部と、
前記アンケートに回答した結果であるアンケート結果を受け付けるアンケート結果受付部と、
前記アンケート結果が受け付けられた後、前記ユーザに対してクーポン情報を出力するクーポン情報出力部とを有する情報処理システム。
【請求項２】
前記ユーザに対する表示部を有し、
前記アンケート情報出力部は、前記表示部に前記アンケートの内容を表示する請求項１の情報処理システム。
【請求項３】
前記アンケート情報出力部は、前記アンケートの内容に回答するための回答用サイトのＵＲＬを含む電子メールを前記ユーザに送信する請求項１の情報処理システム。
【請求項４】
前記情報処理システムはさらに、
前記情報処理システムの処理結果を記憶する結果記憶部を有する請求項１ないし３いずれかの情報処理システム。
【請求項５】
前記情報処理システムはさらに、
前記ユーザに対してジョブ実行の結果であるデータを収集して記憶することに対する協力依頼を行う協力依頼処理部と、前記協力依頼に対する回答に応じて前記データを取得するデータ取得処理部を有し、
取得した前記データを前記処理結果として前記結果記憶部に記憶し、
前記アンケート情報出力部は、前記データが前記結果記憶部に記憶された後に、前記アンケート情報の出力を行う請求項４の情報処理システム。
【請求項６】
前記情報処理システムは、
前記ジョブを実行するジョブ実行部を有する画像処理装置と、
前記結果記憶部を有するサーバ装置とを有し、
複数の前記アンケート結果を含むテーブルである管理テーブルを、前記処理結果として前記結果記憶部に記憶する請求項４または５の情報処理システム。
【請求項７】
前記アンケート結果は複数の回答項目を有し、前記管理テーブルは少なくとも、前記複数の回答項目のうち、前記ジョブの品質を指摘する指摘事項を含む項目からなる指摘事項管理テーブルを含む請求項６の情報処理システム。
【請求項８】
前記情報処理システムはさらに、
前記ジョブの内容に応じた前記アンケート情報を取得するアンケート情報取得部を有し、
前記アンケート情報出力部は、前記アンケート情報取得部が取得した前記アンケート情報を出力する請求項１ないし７いずれかの情報処理システム。
【請求項９】
画像処理装置に対するユーザが指示したジョブを受け付ける入力受付部と、
前記ジョブを実行した結果である実行結果に関するアンケートの情報であるアンケート情報を、前記ユーザに対して出力するアンケート情報出力部と、
前記アンケートに回答した結果であるアンケート結果を受け付けるアンケート結果受付部と、
前記アンケート結果が受け付けられた後、前記ユーザに対してクーポン情報を出力するクーポン情報出力部とを有する情報処理装置。
【請求項１０】
画像処理装置に対するユーザが指示したジョブを受け付ける入力受付工程と、
受け付けた前記ジョブに応じた前記ユーザに対するアンケート情報を取得するアンケート情報取得工程と、
取得された前記アンケート情報を前記ユーザに出力するアンケート情報出力工程と、
前記ユーザが前記アンケート情報に回答した結果であるアンケート結果を受け付けるアンケート結果受付工程と、
前記アンケート結果が受け付けられた後、前記ユーザにクーポン情報を出力するクーポン情報出力工程とからなる情報処理方法。
【発明の詳細な説明】
【技術分野】
【０００１】
本発明は、情報処理システム、情報処理装置、および情報処理方法に関する。
【背景技術】
【０００２】
従来、コピー機能やスキャナ機能、ファクシミリ機能、プリンタ機能等を有し、ユーザからの前述のいずれかの機能に対する指示に従った一連の処理（以降、ジョブと呼ぶことがある）を実行した後、ユーザに対し、実行したジョブに関するアンケートを表示するＭＦＰ（Ｍｕｌｔｉ  Ｆｕｎｃｔｉｏｎ  Ｐｒｉｎｔｅｒ／Ｐｅｒｉｐｈｅｒａｌ／Ｐｒｏｄｕｃｔ）があった。
【０００３】
例えば特許文献１に記載のＭＦＰは、実行したジョブに関するアンケートを収集しておき、利用者が機能を選択する際に目的の機能が満足いくものであるか否かをユーザが判断するために、アンケートに基づく集計結果をユーザに対して表示している。
【発明の概要】
【発明が解決しようとする課題】
【０００４】
しかし、特許文献１に記載の装置では、ユーザのアンケートに対する回答を促進していないため、高い回答率に基づく有効な集計結果が得られない。
【課題を解決するための手段】
【０００５】
上記課題を解決するために、請求項１にかかる発明は、画像処理装置に対するユーザが指示したジョブを受け付ける入力受付部と、前記ジョブを実行した結果である実行結果に関するアンケートの情報であるアンケート情報を、前記ユーザに対して出力するアンケート情報出力部と、前記アンケートに回答した結果であるアンケート結果を受け付けるアンケート結果受付部と、前記アンケート結果が受け付けられた後、前記ユーザに対してクーポン情報を出力するクーポン情報出力部とを有する情報処理システムである。
【発明の効果】
【０００６】
本発明によれば、画像処理装置のユーザのアンケートに対する回答を促進し、高い回答率に基づく有効な集計結果が得られる。
【図面の簡単な説明】
【０００７】
【図１】第一の実施形態に係る情報処理システムの全体構成図である。
【図２】第一の実施形態に係る画像処理装置のハードウェア構成図である。
【図３】第一の実施形態に係る画像処理装置のソフトウェア構成図である。
【図４】第一の実施形態に係るサーバ装置のハードウェア構成図である。
【図５】第一の実施形態に係る画像処理装置およびサーバ装置の機能ブロック図である。
【図６】第一の実施形態に係る処理を表すフロー図である。
【図７】第一の実施形態に係る処理を表すシーケンス図である。
【図８】協力依頼画面の一例である。
【図９】アンケート画面の一例である。
【図１０】クーポン受取方法を選択する画面の一例である。
【図１１】第二の実施形態に係る情報処理システムの全体構成図である。
【図１２】端末装置のハードウェア構成図である。
【図１３】第二の実施形態に係る画像処理装置、サーバ装置および端末装置の機能ブロック図である。
【図１４】第二の実施形態に係る処理を表すシーケンス図である。
【図１５】アンケート送付先メールアドレスを入力する画面の一例である。
【図１６】第三の実施形態に係る画像処理装置の機能ブロック図である。
【発明を実施するための形態】
【０００８】
以下、添付の図面に基づき、本発明の実施の形態について説明する。なお、本発明の実施の形態を説明するための各図面において、同一の機能もしくは形状を有する部材や構成部品等の構成要素については、判別が可能な限り同一符号を付すことにより一度説明した後ではその説明を省略する。
【０００９】
図１は、一実施形態に係る情報処理システムの全体構成図である。図１に示されているように、情報処理システム１は、ｎ台（ｎ＝１，２，３…）の画像処理装置１０−１、１０−２、…１０−ｎ、およびサーバ装置２０によって構築されている。画像処理装置１０−１、１０−２、…１０−ｎのうち任意のものを画像処理装置１０と表す。
【００１０】
画像処理装置１０は、一例として、ＭＦＰ(Ｍｕｌｔｉｆｕｎｃｔｉｏｎ  Ｐｅｒｉｐｈｅｒａｌ／Ｐｒｉｎｔｅｒ／Ｐｒｏｄｕｃｔ)と称される複合機であり、ファクシミリ、スキャナ、コピー、あるいはプリンタなどの画像処理機能、通信機能を有する情報処理装置である。図１では、一例としてコンビニエンスストア等の店舗ｎ（ｎ＝１，２，３…）に設置され、コンビニエンスストアの顧客がユーザとして各種機能を利用する情報処理システムの例を示している。なお、画像処理装置１０で処理される「画像」は、画像データだけでなく、画像データが含まれていないデータ、つまり文字情報のみのデータも含む。また画像処理装置１０の設置台数は、１店舗につき１台に限られない。
【００１１】
サーバ装置２０は、通信機能を有する情報処理装置である。画像処理装置１０およびサーバ装置２０は、通信ネットワーク２Ｎによって相互に接続されている。通信ネットワーク２Ｎの全部又は一部には、Ｗｉ−Ｆｉ（Ｗｉｒｅｌｅｓｓ  Ｆｉｄｅｌｉｔｙ）などの無線による通信が行われる箇所があってもよい。
【００１２】
図２に示すように、画像処理装置１０は、コピー機能、スキャナ機能、ファクス機能、プリンタ機能、ＯＣＲ機能などの各種の機能を実現可能な本体１１０と、ユーザの操作を受け付ける操作部１２０とを有する。なお、ユーザの操作を受け付けるとは、ユーザの操作に応じて入力される情報を受け付けることを含む概念である。本体１１０と操作部１２０は、専用の通信路１０００を介して相互に通信可能に接続されている。通信路１０００は、例えばＵＳＢ（Ｕｎｉｖｅｒｓａｌ  Ｓｅｒｉａｌ  Ｂｕｓ）規格のものを用いることもできるが、有線か無線かを問わず任意の規格のものであってよい。
【００１３】
なお、本体１１０は、操作部１２０で受け付けた操作に応じた動作を行うことができる。また、本体１１０は、ＰＣ（Ｐｅｒｓｏｎａｌ  Ｃｏｍｐｕｔｅｒ）等の外部装置とも通信可能であり、外部装置から受信した指示に応じた動作を行うこともできる。
【００１４】
まず、本体１１０のハードウェア構成について説明する。図２に示すように、本体１１０は、ＣＰＵ（Ｃｅｎｔｒａｌ  Ｐｒｏｃｅｓｓｉｎｇ  Ｕｎｉｔ）１１１と、ＲＯＭ（Ｒｅａｄ  Ｏｎｌｙ  Ｍｅｍｏｒｙ）１１２と、ＲＡＭ（Ｒａｎｄｏｍ  Ａｃｃｅｓｓ  Ｍｅｍｏｒｙ）１１３と、ＨＤＤ（Ｈａｒｄ  Ｄｉｓｋ  Ｄｒｉｖｅ）１１４と、通信Ｉ／Ｆ（Ｉｎｔｅｒ  Ｆａｃｅ）１１５と、接続Ｉ／Ｆ１１６と、エンジン部１１７と、を備え、これらがシステムバス１１９を介して相互に接続されている。
【００１５】
ＣＰＵ１１１は、本体１１０の動作を制御する。ＣＰＵ１１１は、ＲＡＭ１１３をワークエリア（作業領域）としてＲＯＭ１１２又はＨＤＤ１１４に記憶されたＯＳ（Ｏｐｅｒａｔｉｎｇ  Ｓｙｓｔｅｍ）、その他の各種アプリケーションプログラムを実行することで、本体１１０全体の動作を制御し、上述したコピー機能、スキャナ機能、ファクス機能、プリンタ機能などの各種機能を実現する。これらの各種機能の動作内容（以降ジョブと呼ぶことがある）は、その都度、画像処理装置１０の動作ログとしてＨＤＤ１１４等に保存可能である。
【００１６】
通信Ｉ／Ｆ１１５は、ネットワーク２Ｎと接続するためのインタフェースである。接続Ｉ／Ｆ１１６は、通信路１０００を介して操作部１２０と通信するためのインタフェースである。
【００１７】
エンジン部１１７は、コピー機能、スキャナ機能、ファクス機能、および、プリンタ機能を実現させるための、汎用的な情報処理及び通信以外の処理を行うハードウェアである。例えば、用紙などの記憶媒体に印刷された画像を光学的に読み取り、画像データを作成するスキャナとしての画像読取部１１７１、用紙などの記録媒体への印刷を行うプロッタとしての画像形成部１１７２を備える。プロッタは電子写真方式やインクジェット方式、そのほか用紙等へ印刷可能な方式を採用することができるが、これに限られない。
【００１８】
エンジン部１１７はその他、ファクス通信を行うファクス部、印刷済み記録媒体を仕分けるフィニッシャや、画像が印刷された用紙などの記憶媒体を自動給送するＡＤＦ（Ａｕｔｏ  Ｄｏｃｕｍｅｎｔ  Ｆｅｅｄｅｒ）のような特定のオプションを備えることもできる。なお、以降画像が印刷された用紙などの記憶媒体を原稿と呼ぶことがある。
【００１９】
次に、操作部１２０のハードウェア構成について説明する。図２に示すように、操作部１２０は、ＣＰＵ１２１と、ＲＯＭ１２２と、ＲＡＭ１２３と、フラッシュメモリ１２４と、通信Ｉ／Ｆ１２５と、接続Ｉ／Ｆ１２６と、操作パネル１２７とを備え、これらがシステムバス１２９を介して相互に接続されている。
【００２０】
ＣＰＵ１２１は、操作部１２０の動作を統括的に制御する。ＣＰＵ１２１は、ＲＡＭ１２３をワークエリアとしてＲＯＭ１２２またはフラッシュメモリ１２４に記憶されたＯＳ、その他の各種アプリケーションプログラムを実行することで、操作部１２０全体の動作を制御し、ユーザから受け付けた入力に応じた情報（画像）の表示など各種機能を実現する。
【００２１】
また、ＲＯＭ１２２またはフラッシュメモリ１２４には設定ウィジェットプログラムが記憶されており、例えばコピー機能またはプリンタ機能等の各種機能の現在の設定を示す設定ウィジェットをホーム画面上に表示させてもよい。
【００２２】
通信Ｉ／Ｆ１２５は、ネットワーク２Ｎと接続するためのインタフェースである。接続Ｉ／Ｆ１２６は、通信路１０００を介して本体１１０と通信するためのインタフェースである。ここで、ネットワーク２ＮはＬＡＮ（Ｌｏｃａｌ  Ａｒｅａ  Ｎｅｔｗｏｒｋ）、インターネット、ＬＡＮ経由のインターネット等を含む概念である。
【００２３】
入力部としての操作パネル１２７は、ユーザの操作に応じた各種の入力を受け付ける。また操作パネル１２７は、各種の情報（例えば受け付けた操作に応じた情報、画像処理装置１０の動作状況を示す情報、設定状態などを示す情報など）を表示する表示部としても機能する。表示部としての操作パネル１２７は、一例としてタッチパネル機能を搭載した液晶表示装置（ＬＣＤ：Ｌｉｑｕｉｄ  Ｃｒｙｓｔａｌ  Ｄｉｓｐｌａｙ）で構成されるが、これに限られるものではない。例えばタッチパネル機能が搭載された有機ＥＬ（Ｅｌｅｃｔｒｏ−Ｌｕｍｉｎｅｓｃｅｎｃｅ）表示装置で構成されてもよい。さらに、これに加えて又はこれに代えて、特に入力部としてのハードウェアキー等や、特に表示部としてのランプ等を設けることもできる。また、操作パネル１２７は、画像処理装置１０から取り外した状態でも使用可能な携帯情報端末でもよい。
【００２４】
本体１１０は、その他に、各種メディアの読出し、書込みをするためのメディアＩ／Ｆを有していてもよい。
【００２５】
図３は、画像処理装置１０のソフトウェア構成の一例を示す図である。図３に示すように、本体１１０は、アプリ層１１０１と、サービス層１１０２と、ＯＳ層１１０３とを有する。アプリ層１１０１、サービス層１１０２、および、ＯＳ層１１０３の実体は、ＲＯＭ１１２やＨＤＤ１１８等に記憶されている各種ソフトウェアである。ＣＰＵ１１１が、これらのソフトウェアを実行することにより、各種の機能が提供される。
【００２６】
アプリ層１１０１のソフトウェアは、ハードウェア資源を動作させて所定の機能を提供するためのアプリケーションソフトウェア（以下の説明では、単に「アプリ」と称する場合がある）である。例えばアプリとしては、コピー機能を提供するためのコピーアプリ、スキャナ機能を提供するためのスキャナアプリ、ファクス機能を提供するためのファクスアプリ、プリンタ機能を提供するためのプリンタアプリなどが挙げられる。
【００２７】
サービス層１１０２のソフトウェアは、アプリ層１１０１とＯＳ層１１０３との間に介在し、アプリに対し、本体１１０が備えるハードウェア資源を利用するためのインタフェースを提供するためのソフトウェアである。より具体的には、ハードウェア資源に対する動作要求の受け付け、動作要求の調停を行う機能を提供するためのソフトウェアである。サービス層１１０２が受け付ける動作要求としては、スキャナによる読み取りやプロッタによる印刷等の要求が考えられる。
【００２８】
なお、サービス層１１０２によるインタフェースの機能は、本体１１０のアプリ層１１０１だけではなく、操作部１２０のアプリ層１２０１に対しても提供される。すなわち、操作部１２０のアプリ層１２０１も、サービス層１１０２のインタフェース機能を介して、本体１１０のハードウェア資源（例えばエンジン部１１７）を利用した機能を実現することができる。
【００２９】
ＯＳ層１１０３のソフトウェアは、本体１１０が備えるハードウェアを制御する基本機能を提供するための基本ソフトウェア（ＯＳ：オペレーティングシステム）である。サービス層１１０２のソフトウェアは、各種アプリからのハードウェア資源の利用要求を、ＯＳ層１１０３が解釈可能なコマンドに変換してＯＳ層１１０３に渡す。そして、ＯＳ層１１０３のソフトウェアによりコマンドが実行されることで、ハードウェア資源は、アプリの要求に従った動作を行う。
【００３０】
同様に、操作部１２０は、アプリ層１２０１と、サービス層１２０２と、ＯＳ層１２０３とを有する。操作部１２０が備えるアプリ層１２０１、サービス層１２０２及びＯＳ層１２０３も、階層構造については本体１１０側と同様である。ただし、アプリ層１２０１のアプリにより提供される機能や、サービス層１２０２が受け付け可能な動作要求の種類は、本体１１０側とは異なる。アプリ層１２０１のアプリは、操作部１２０が備えるハードウェア資源を動作させて所定の機能を提供するためのソフトウェアであってもよいが、主として本体１１０が備える機能 （コピー機能、スキャナ機能、ファクス機能、プリンタ機能）に関する操作や表示を行うためのＵＩ（Ｕｓｅｒ  Ｉｎｔｅｒｆａｃｅ）の機能を提供するためのソフトウェアである。
【００３１】
なお、本実施形態では、機能の独立性を保つために、本体１１０側のＯＳ層１１０３のソフトウェアと操作部１２０側のＯＳ層１２０３のソフトウェアが互いに異なる。つまり、本体１１０と操作部１２０は、別々のオペレーティングシステムで互いに独立して動作する。例えば 、本体１０側のＯＳ層１１０３のソフトウェアとしてＬｉｎｕｘ（登録商標）を用い、操作部１２０側のＯＳ層１２０３のソフトウェアとしてＡｎｄｒｏｉｄ（登録商標）を用いることも可能である。
【００３２】
以上のように、本実施形態の画像処理装置１０において、本体１１０と操作部１２０は別々のオペレーティングシステムで動作するため、本体１１０と操作部１２０との間の通信は、共通の装置内のプロセス間通信ではなく、異なる装置間の通信として行われる。操作部１２０が受け付けた情報、つまりユーザからの指示内容を本体１１０へ伝達する動作（以降コマンド通信と呼ぶことがある。）や、本体１１０が操作部１２０へイベントを通知する動作などがこれに該当する。ここでは、操作部１２０が本体１１０へコマンド通信を行うことにより、本体１１０の機能を使用することができる。また、本体１１０から操作部１２０に通知するイベントには、本体１１０における動作の実行状況、本体１１０側で設定された内容などが挙げられる。
【００３３】
また、本実施形態では、操作部１２０に対する電力供給は、本体１１０から通信路１０００を経由して行われているので、操作部１２０の電源制御を、本体１１０の電源制御とは別に、つまり独立して行うことができる。
【００３４】
図４は、サーバ装置２０のハードウェア構成を説明する図である。サーバ装置２０は、ＣＰＵ２１と、ＲＯＭ２２と、ＲＡＭ２３と、ＨＤＤ２４と、ディスプレイ２５と、キーボードやマウスやタッチパネルなどの操作部２６と、ネットワークＩ／Ｆ２７を備え、これらがシステムバス２８を介して相互に接続されている。
【００３５】
ＣＰＵ２１は、ＲＡＭ２３をワークエリア（作業領域）としてＲＯＭ２２又はＨＤＤ２４に記憶されたＯＳ、その他の各種アプリケーションプログラムを実行することで、サーバ装置２０全体の動作を制御する。
【００３６】
表示部としてのディスプレイ２５はユーザに対し、ユーザの操作に必要な各種情報を表示する。
【００３７】
操作部２６は、ユーザの操作を受け付ける。なお、ユーザの操作を受け付けるとは、ユーザの操作に応じて入力される情報を受け付けることを含む概念である。
【００３８】
ネットワークＩ／Ｆ２７は、例えば、Ｅｔｈｅｒｎｅｔ（登録商標）またはＷｉ−Ｆｉによりネットワーク２Ｎを介して他の装置と通信するための通信手段である。
【００３９】
サーバ装置２０は、その他に、各種メディアの読出し、書込みをするためのメディアＩ／Ｆ等を有していてもよい。
【００４０】
図５は、画像処理装置１０と、サーバ装置２０の機能ブロック図である。
【００４１】
まず画像処理装置１０について説明する。画像処理装置１０は、入力受付部１３０と、通信部１４０と、表示処理部１５０と、読出・書込処理部１６０と、記憶部１７０と、データ取得処理部１８０とを有する。これら各部は、図２に示される各構成要素のいずれかが、ＲＯＭ１１２からＲＡＭ１１３上に展開された画像処理装置１０用のプログラムに従ったＣＰＵ１１１からの命令によって動作することで実現される機能である。
【００４２】
入力受付部１３０は、ＣＰＵ１１１がＲＡＭ１１３を作業領域としてＲＯＭ１１２またはＨＤＤ１１４に記憶されたプログラムを実行することによって実現され、外部機器からの指示入力や、ユーザからの指示入力を受け付ける。入力受付部１３０は、ＣＰＵ１２１がＲＡＭ１２３を作業領域としてＲＯＭ１２２またはフラッシュメモリ１２４を実行することによって実現され、外部機器からの指示入力や、ユーザからの指示入力を受け付けてもよい。
【００４３】
通信部１４０は、ＣＰＵ１１１からの命令および通信Ｉ／Ｆ１１５の処理により実現され、ネットワーク２Ｎで接続された他の装置との通信を制御する。また、通信部１４０は、ＣＰＵ１２１からの命令および通信Ｉ／Ｆ１２５の処理により実現されて、ネットワーク２Ｎで接続された他の装置との通信を制御してもよい。
【００４４】
表示処理部１５０は、ＣＰＵ１１１がＲＡＭ１１３を作業領域としてＲＯＭ１１２またはＨＤＤ１１４に記憶されたプログラムを実行することによって実現され、操作パネル１２７に表示する表示画面を制御する機能を実行する。また、表示処理部１５０は、ＣＰＵ１２１がＲＡＭ１２３を作業領域としてＲＯＭ１２２またはフラッシュメモリ１２４に記憶されたプログラムを実行することによって実現されて、操作パネル１２７に表示する表示画面を制御する機能を実行してもよい。
【００４５】
読出・書込処理部１６０は、ＣＰＵ１１１がＲＡＭ１１３を作業領域としてＲＯＭ１１２またはＨＤＤ１１４に記憶されたプログラムを実行することによって実現され、記憶部１７０に各種データを記憶したり、記憶された各種データを読み出したりする機能を実行する。また、読出・書込処理部１６０は、ＣＰＵ１２１がＲＡＭ１２３を作業領域としてＲＯＭ１２２またはフラッシュメモリ１２４に記憶されたプログラムを実行することによって実現されて、記憶部１７０に各種データを記憶したり、記憶された各種データを読み出したりする機能を実行してもよい。
【００４６】
記憶部１７０は、ＲＯＭ１１２またはＨＤＤ１１４の処理によって実行され、各種プログラムやデータ、動作に必要な各種設定情報等を記憶する機能を実行する。ＲＡＭ１１３の一時的な記憶機能により実行してもよい。また、記憶部１７０は、ＲＯＭ１２２またはフラッシュメモリ１２４の処理によって実行されて、各種プログラムやデータ、動作に必要な各種設定情報等を記憶する機能を実行してもよい。
【００４７】
データ取得処理部１８０は、協力依頼処理部１８１と、依頼結果受付部１８２と、ジョブ実行部１８３と、依頼結果判断部１８４と、データ送信部１８５とを有する。各部の詳細は後述するが、これら各部の機能によりデータ取得処理部１８０は、ジョブ実行の結果であるデータを収集して記憶することについて、ユーザに対する協力依頼を行う。また、その協力依頼の結果に基づいて、ジョブ実行の結果であるデータの取得を制御する。
【００４８】
次にサーバ装置２０について説明する。サーバ装置２０は、入力受付部２３０と、通信部２４０と、表示処理部２５０と、読出・書込処理部２６０と、記憶部２７０と、アンケート処理部２９０とを有する。これら各部は、図３に示されている各構成要素のいずれかが、ＲＯＭ２２からＲＡＭ２３上に展開されたサーバ装置２０用のプログラムに従ったＣＰＵ２１からの命令によって動作することで実現される機能である。
【００４９】
入力受付部２３０は、ＣＰＵ２１がＲＡＭ２３を作業領域としてＲＯＭ２２またはＨＤＤ２４に記憶されたプログラムを実行することによって実現され、外部機器からの指示入力や、ユーザからの指示入力を受け付ける。
【００５０】
通信部２４０は、ＣＰＵ２１からの命令およびネットワークＩ／Ｆ２７の処理により実現され、ネットワーク２Ｎで接続された他の装置との通信を制御する。
【００５１】
表示処理部２５０は、ＣＰＵ２１がＲＡＭ２３を作業領域としてＲＯＭ２２またはＨＤＤ２４に記憶されたプログラムを実行することによって実現され、ディスプレイ２５に表示する表示画面を制御する機能を実行する。
【００５２】
読出・書込処理部２６０は、ＣＰＵ２１がＲＡＭ２３を作業領域としてＲＯＭ２２またはＨＤＤ２４に記憶されたプログラムを実行することによって実現され、記憶部２７０に各種データを記憶したり、記憶された各種データを読み出したりする機能を実行する。
【００５３】
記憶部２７０は、ＲＯＭ２２またはＨＤＤ２４の処理によって実行され、各種プログラムやデータ、動作に必要な各種設定情報等を記憶する機能を実行する。または、ＲＡＭ２３の一時的な記憶機能により実行してもよい。
【００５４】
また、記憶部２７０は、結果記憶部２７１、アンケート情報記憶部２７２、クーポン情報記憶部２７３を有している。
【００５５】
結果記憶部２７１は、情報処理システム１で実行された各種処理の結果である処理結果を記憶する。処理結果としては例えば、画像処理装置１０で実行されたジョブの結果であるデータ、また後述するアンケートの内容に対する回答結果であるアンケート結果を記憶する。その他にも画像処理装置１０で実行されたジョブのログなどを記憶してもよいが、これらに限られない。
【００５６】
アンケート情報記憶部２７２には、表１に示されるアンケート情報リストがあらかじめ記憶されている。アンケート情報リストにおいては各ジョブとそれに対応してユーザに回答を依頼するアンケートの種類が対応付けられている。例えば、ジョブとしてコピーまたはスキャナを実行したユーザに対するアンケートとしてアンケートＡが対応付けられている。同様に，ＯＣＲ、プリント、ファクシミリ送信のいずれかを指示したユーザに応じて内容の異なるアンケートとしてアンケートＢ，アンケートＣ、アンケートＤがそれぞれ対応付けられている。
【００５７】
なお表１ではアンケート情報の例として、内容の異なる各アンケートに付されたＡ，Ｂ，Ｃ，Ｄの記号が対応付けられているが、他の例として、アンケートの質問内容である文字列自体、各アンケートの質問内容を示す画像データのファイル名や、アンケートの質問内容が記載されているファイル名等、またこれらの組み合わせでもよいが、これらに限られない。
【００５８】
【表１】
2019175339.tif 000003
【００５９】
クーポン情報記憶部２７３には、表２で示されるクーポン情報リストがあらかじめ記憶されている。このクーポン情報リストにおいては、アンケート結果のうち、アンケートに回答したユーザに関する情報とユーザに提供されるクーポン情報が対応づけられている。つまり、回答したユーザの年齢が１１歳〜２０歳、性別が男の場合は、Ｐ−１００という種類のクーポンが対応づけられている。同様に、年齢が２１歳〜３０歳、性別が男の場合はＰ−１０１、年齢が３１歳〜４０歳、性別が男の場合はＰ−１０２という記号のクーポンが対応付けられている。
【００６０】
【表２】
2019175339.tif 000004
【００６１】
ここでクーポンとは、商品購入時等に渡したり提示することで、その商品と交換出来たり割引を受けられたりできる情報である。また、商品購入時等に取得して後日金券や割引、サービスとの引き換えとして使用できるポイントを取得できる情報であってもよい。アンケート結果のうち各クーポンに対応付けられる項目として、表２に示された年齢、性別、店舗地域、ジョブ実行時間は一例であり、これに限られない。
【００６２】
その他、各クーポンと、アンケート結果として、情報収集を行った画像処理装置１０が設置されている店舗の所在地域や、収集されたジョブ実行時間などに対応づけられてもよい。表２では、設置されている店舗の所在地域が地域βでジョブ実行時間が17:00-21:00の間であった場合、Ｑ−１００が対応付けられている。
【００６３】
なお表２ではクーポン情報の例として、内容の異なるクーポンに付されたＰ−１００、Ｐ−１０１、Ｐ−１０２，Ｐ−１０３の記号が対応付けられているが、他の例として、クーポンの内容である文字列自体、各クーポンの画像データのファイル名や、クーポンに変換されるバーコード情報、またこれらの組み合わせでもよいが、これらに限られない。
【００６４】
アンケート処理部２９０は、ユーザに対するアンケートの実施と、クーポンの出力を行う。アンケート処理部２９０は、データ受付部２９１、アンケート情報取得部２９２、アンケート情報出力部２９３、アンケート結果受付部２９４、クーポン情報取得部２９５、クーポン情報出力部２９６を有する。各部の詳細は後述する。
【００６５】
図６は本情報処理システム１の処理を示すフローチャートである。
【００６６】
まず画像処理装置１０の入力受付部１３０が入力受付工程として、ユーザによるジョブ実行指示、つまりコピー機能、スキャナ機能、ＯＣＲ機能などの処理実行指示、を受け付ける（Ｓ１）。データ取得処理部１８０は、データ取得処理工程として、ユーザに対するジョブ実行の結果であるデータを収集して記憶することに対する協力依頼と、協力依頼の結果に基づきデータの取得行う。データ取得処理工程は、一例として、以下のステップＳ２〜Ｓ６の工程を有する。
【００６７】
すなわち、協力依頼処理部１８１が、協力依頼処理工程として、ジョブを実行した結果である実行結果、例としては画像データやテキストデータ、その他、ジョブ完了までの所要時間、設定情報などを収集することについて、ジョブ実行指示を行なったユーザに了承を得るための協力依頼処理を行う（Ｓ２）。協力依頼処理の一例としては、協力依頼処理部１８１が、表示処理部１５０に対し、協力依頼画面の表示を指示する。その結果、操作パネル１２７に協力依頼画面が表示される。するとユーザは、その画面に表示された協力依頼画面の内容に対し、一例として操作パネル１２７を操作することにより協力するか否かを回答する。この協力依頼に回答した結果を依頼結果と呼ぶ。
【００６８】
さらに依頼結果受付部１８２は、依頼結果受付工程として、依頼結果を受け付ける（Ｓ３）。その後、ジョブ実行部１８３は、ユーザが指示したジョブを実行する（Ｓ４）。次に依頼結果判断部１８４は、依頼結果判断工程として、協力依頼画面へユーザの入力結果が“協力する”であるかどうかを判断する（Ｓ５）。“協力する”であった場合は、データ送信部１８５が、データ送信工程として、ジョブ結果である画像データやテキストデータ、各種設定情報をアンケート処理部２９０に送信する（Ｓ６）。
【００６９】
アンケート処理部２９０は、アンケート処理工程として、ユーザからアンケート結果を取得し、アンケート結果に応じたクーポン情報を出力する。アンケート処理部２９０は、一例として、以下のステップＳ７〜Ｓ１４の工程を有する。
【００７０】
すなわち、データ受付部２９１は、データ受付工程として送信されたデータを受け付ける（Ｓ７）。受け付けられたデータは、読出・書込処理部２６０が結果記憶部２７１に記憶する（Ｓ８）。結果記憶部２７１に記憶されたデータは、例えば管理者等が参照して各ジョブの品質向上を図るための情報として利用できる。
【００７１】
そしてアンケート情報取得部２９２は、アンケート情報取得工程として、アンケート情報記憶部２７２にあらかじめ記憶されている表１を参照し、ユーザが実行したジョブ内容に応じたアンケート情報を取得する（Ｓ９）。このようにユーザが実行したジョブに関するアンケート結果を取得するため、必要なアンケート結果を確実に取得出来る。またユーザが実行していないジョブに関してはアンケートを行わないため、ユーザが容易に回答できる。
【００７２】
アンケート情報出力部２９３は、アンケート情報出力工程として、取得したアンケート情報をユーザに対し出力する（Ｓ１０）。ユーザに対し出力するとは、一例として、取得したアンケート情報に基づき表示処理部１５０に対しアンケート内容の表示を指示するものである。アンケート情報の出力のその他の例として、後述のようにユーザに対しアンケートへの回答をうながすメールを送信してもよい。またユーザに対しアンケート内容を知らせる音声、または音と映像を流すものなどでもよい。ユーザがアンケート内容を把握した上で、ユーザにとっての操作部を操作してアンケートへの回答を入力できれば出力方法はこれらに限られない。
【００７３】
ユーザは、出力されたアンケート情報に対し、一例として操作パネル１２７を操作することにより回答する。以降、アンケート情報に回答した結果をアンケート結果と呼ぶことがある。アンケート結果受付部２９４は、アンケート結果受付工程として、アンケート結果の少なくとも一部を受け付ける（Ｓ１１）。アンケート結果受付部２９４が受け付けたアンケート結果の少なくとも一部は、読出・書込処理部２６０が結果記憶部２７１に記憶する（Ｓ１２）。
【００７４】
その後、クーポン情報取得部２９５は、クーポン情報取得工程として、アンケート結果に基づき、クーポン情報記憶部２７３を参照し、クーポン情報を取得する（Ｓ１３）。つまり、アンケートの回答結果に含まれる情報、例えば性別、年齢などからアンケートに回答したユーザに応じたクーポン情報を取得する。アンケートの回答結果に含まれる情報としては、ユーザが入力した文章に含まれる特定のキーワードなどでもよい。
【００７５】
そして、クーポン情報出力部２９６は、クーポン情報出力工程として、取得したクーポン情報をユーザに対し出力する（Ｓ１４）。一例としては、エンジン部１１７のプリント機能により、クーポンの内容を用紙に印刷する。他の例としては、表示処理部に対し、操作パネル１２７にクーポン取得用の２次元バーコードを表示するように指示するなどがある。ユーザが店舗やインターネット等で取引を行う際に、取引相手に提示したり、必要に応じて渡したりできればクーポン情報の出力方法はこれらに限られない。
【００７６】
このように画像処理装置に対するユーザが指示したジョブを受け付け、受け付けたジョブに応じたユーザに対するアンケート情報を取得し、取得されたアンケート情報をユーザに対し出力し、ユーザがアンケート情報に回答した結果であるアンケート結果を受け付けた後、ユーザに対しクーポンを出力する。したがって、クーポンがユーザのアンケートに回答するモチベーションとなり、品質向上のために必要な情報の、高い回答率を得られる。
【００７７】
またアンケート情報出力部２９３は、ステップＳ８でジョブ結果であるデータが結果記憶部２７１に記憶された後に、前記アンケート情報の出力を行うため、ジョブ結果とアンケート情報を確実に紐づけることができる。また結果データが確実に保存されたジョブにのみアンケート後に出力されるクーポンを出力することができる。
【００７８】
表３は、結果記憶部１７１，結果記憶部２７１に記憶されるアンケートの回答結果を管理する管理テーブルの一例である。アンケートの回答項目である「性別」「年齢」「コピー/スキャナの品質」「ＯＣＲの品質」「その他、気になる点」が、表３に示されるような管理テーブルとして記憶される。管理テーブルは、「性別」「年齢」等のユーザの属性に関する項目と、「コピー/スキャナの品質」「ＯＣＲの品質」「その他、気になる点」等のジョブの品質を指摘する指摘事項に関する項目を含む。そこで管理テーブルのうち、「コピー/スキャナの品質」「ＯＣＲの品質」「その他、気になる点」の行を指摘事項管理テーブルとしてその他の項目と区別して管理すれば、品質向上のために参照しやすくなる。さらに収集した各画像データ、テキストデータを紐づけてもよい。
【００７９】
【表３】
2019175339.tif 000005
【００８０】
図７は本情報処理システムの処理を説明するシーケンス図である。詳細には、図６のフローチャートのステップＳ５において、回答が“協力する”だった場合に、画像処理装置１０とサーバ装置２０がどのように動作するかを説明する図である。図７中のＳ１−１〜Ｓ１４−１が、図６のＳ１〜Ｓ１４に対応する。
【００８１】
なお、画像処理装置１０とサーバ２０間のやり取りは、それぞれの通信部１４０、通信部２４０を通じ、ネットワーク２Ｎを介して行われる。
【００８２】
まず画像処理装置１０の入力受付部１３０がユーザによるジョブ実行指示、つまり、コピー機能、スキャナ機能、ＯＣＲ機能などの処理実行指示、を受け付ける（Ｓ１−１）。すると協力依頼処理部１８１が、ユーザに対しユーザが指示したジョブを実行した結果である画像データやテキストデータ、その他設定情報などを収集することについて、了承を得るための協力依頼処理を行う（Ｓ２−１）。協力依頼処理の一例としては、表示処理部に対し、協力依頼画面の表示を指示する。
【００８３】
ここで図８を用いて、表示される協力依頼画面の一例を示す。画面にはユーザに対するメッセージとして「品質向上に向けたお願い」「今後の更なる品質向上のため、画像データ/テキストを収集します。ご協力お願いできますか？」と表示される。それに対して、画像データ/テキスト収集に協力可能なユーザが選択できる、「協力する」ボタンが表示されている。協力依頼画面にはさらに、協力しないユーザが選択できる、「協力しない」ボタンが表示されている。
【００８４】
図７に戻って説明を続ける。依頼結果受付部１８２は、ユーザが操作パネル１２７からアンケート協力依頼に対して入力した結果を受け付ける（Ｓ３−１）。その後、ジョブ実行部１８３は、ユーザが指示したジョブを実行する（Ｓ４−１）。
【００８５】
次に依頼結果判断部１８４は、協力依頼画面へユーザの入力結果が“協力する”であるかどうかを判断する（Ｓ５−１）。“協力する”であった場合は、データ送信部１８５が、ジョブ結果である画像データやテキストデータ、各種設定情報をデータ受付部２９１に送信する（Ｓ６−１）。送信されたデータはサーバ装置２０の受付部２９１が受け付ける（Ｓ７−１）。受け付けられたデータは、読出・書込処理部２６０が結果記憶部２７１に記憶する（Ｓ８−１）。結果記憶部２７１に記憶されたデータは、例えば管理者等が参照して各ジョブの品質向上を図るための情報として利用できる。
【００８６】
そしてアンケート情報取得部２９２は、アンケート情報記憶部２７２にあらかじめ記憶されている表１を参照して、ユーザが実行したジョブ内容に応じたアンケート情報を取得する（Ｓ９−１）。アンケート情報出力部２９３は、取得したアンケートをユーザが入力できるように出力する（Ｓ１０−１）。一例としては、表示処理部１５０に対し、操作パネル１２７へのアンケート画面の表示を指示する。その他の例として、ユーザに対しアンケート内容を知らせる音声、または音と映像を流すものなどでもよい。ユーザがアンケート内容を把握した上で、ユーザにとっての操作部である操作パネル１２７のボタン等を操作して回答を入力できれば出力方法はこれらに限られない。
【００８７】
上述の処理は情報処理システム１の各画像処理装置１０-ｎと、サーバ装置２０との間で行われるため、複数台の画像処理装置１０からのデータ、アンケート結果をサーバ装置２０に収集して、品質向上に利用することができる。
【００８８】
ここで図９および図１０を用いて、表示されるアンケート画面の一例を示す。図９が第一のアンケート画面としての品質アンケート画面、図１０が第二のアンケート画面としてのクーポン受取方法アンケート画面である。
【００８９】
まず図９の品質アンケート画面について説明する。画面においてユーザに対するメッセージとして「アンケートに答えてお得なクーポンをＧＥＴしよう」と表示されている。さらに、アンケートの項目として「性別」「年齢」「コピー/スキャナの品質」「OCRの品質」「その他、気になる点」を表示している。
【００９０】
これらの項目は一例として画面上で下線が付されており、ユーザが項目をタッチすることで、それぞれの項目の入力画面が開く。ユーザは画面上で入力することで、アンケートに答えることができる。また、「性別」「年齢」「コピー/スキャナの品質」「OCRの品質」は選択肢から選択して入力する項目、「その他、気になる点」はフリーに文字入力する項目等、項目によって入力の方法を変えてよい。
【００９１】
また、品質アンケート画面には、さらに、ユーザが画面上で選択することができる「回答しない」「回答する」ボタンが表示されている。アンケートに回答しないユーザは、上述したいずれの項目も入力せずに「回答しない」ボタンを押すことができる。アンケートに答えるユーザは、各項目いずれかまたは全項目を入力し、その後「回答する」ボタンを押せばよい。
【００９２】
ユーザにより「回答する」ボタンが押されると、図１０のクーポン受取方法アンケート画面が開く。画面においてユーザに対するメッセージとして、「クーポン受取方法を選択して下さい。」と表示されている。さらにクーポンの受取方法として、「・このコピー機でクーポンを印刷する。」「・このコピー機に二次元バーコードを表示させて読み取る。」と表示されており、ユーザはそれぞれをタッチすることで、希望するクーポンの受取方法を入力できる。
【００９３】
なお、第一のアンケート画面、第二のアンケート画面を図９、図１０と二つに分けて表示する例を示したが、一つの画面に表示させてもよい。
【００９４】
図７に戻って説明を続ける。ユーザが操作パネル１２７からアンケートの内容に対する回答を入力すると、アンケート結果受付部２９４は、そのアンケート結果を受け付ける（Ｓ１１−１）。そして読出・書込処理部２６０が、アンケート結果受付部２９４が受け付けたデータを結果記憶部２７１に記憶する（Ｓ１２−１）。
【００９５】
その後、クーポン情報取得部２９５は、入力されたアンケート結果に基づき、クーポン情報記憶部２７３にあらかじめ記憶された表２を参照して、クーポン情報を取得する（Ｓ１３−１）。つまり、アンケート結果の性別、年齢、その他入力文の中の特定のキーワードなどからユーザに応じたクーポン情報を取得する。
【００９６】
そして、クーポン情報出力部２９６は、取得したクーポン情報をユーザに対し出力する（Ｓ１４−１）。ユーザに対する出力の一例としては、図１０のクーポン受取方法アンケート画面で「・このコピー機でクーポンを印刷する。」が選択された場合にはエンジン部１１７のプリント機能に対し、クーポンの内容と印刷指示を出力する。ユーザに対する出力の別の例としては、「・このコピー機に二次元バーコードを表示させて読み取る。」が選択された場合には表示処理部１５０に対し、操作パネル１２７へ表示するクーポン取得用の２次元バーコード情報とその２次元バーコードの表示指示を出力する。ユーザが店舗やインターネット等で取引を行う際に、取引相手に提示したり、必要に応じて渡したりすることができればクーポン情報の出力方法はこれらに限られない。
【００９７】
次に、図１１を用いて、情報処理システム１の第二の実施形態を説明する。図１１は、図１の情報処理システム１に対し、さらに端末装置３０を有していることを示す図である。
【００９８】
端末装置３０はＰＣ等の汎用端末であり、画像処理装置１０−ｎのいずれかにジョブの指示を行なったユーザが使用する、少なくともジョブの指示を行なった画像処理装置１０とは別の端末である。携帯情報端末、タブレットＰＣなどでもよい。端末装置３０は、画像処理装置１０、サーバ装置２０と同様、通信ネットワーク２Ｎによって接続されている。
【００９９】
図１２は端末装置３０のハードウェア構成を説明する図である。端末装置３０は、ＣＰＵ３１と、ＲＯＭ３２と、ＲＡＭ３３と、ＨＤＤ３４と、ディスプレイ３５と、キーボードやマウスやタッチパネルなどの操作部３６と、ネットワークＩ／Ｆ３７を備え、これらがシステムバス３８を介して相互に接続されている。
【０１００】
ＣＰＵ３１は、ＲＡＭ３３をワークエリア（作業領域）としてＲＯＭ３２又はＨＤＤ３４に記憶されたＯＳ、その他の各種アプリケーションプログラムを実行することで、端末装置３０全体の動作を制御する。
【０１０１】
表示部としてのディスプレイ３５はユーザに対し、ユーザの操作に必要な各種情報を表示する。
【０１０２】
操作部３６は、ユーザの操作を受け付ける。なお、ユーザの操作を受け付けるとは、ユーザの操作に応じて入力される情報を受け付けることを含む概念である。
【０１０３】
ネットワークＩ／Ｆ３７は、例えば、Ｅｔｈｅｒｎｅｔ（登録商標）またはＷｉ−Ｆｉにより通信ネットワーク２を介して他の装置と通信するための通信手段である。
【０１０４】
端末装置３０は、その他に、各種メディアの読出し、書込みをするためのメディアＩ／Ｆ等を有していてもよい。
【０１０５】
図１３は、端末装置３０の機能ブロック図である。端末装置３０は、入力受付部３３０と、通信部３４０と、表示処理部３５０と、読出・書込処理部２６０と、記憶部３７０と有する。これら各部は、図３に示されている各構成要素のいずれかが、ＲＯＭ３２からＲＡＭ３３上に展開された端末装置３０用のプログラムに従ったＣＰＵ３１からの命令によって動作することで実現される機能である。
【０１０６】
入力受付部３３０は、ＣＰＵ３１がＲＡＭ３３を作業領域としてＲＯＭ３２またはＨＤＤ３４を実行することによって実現され、外部機器からの指示入力や、ユーザからの指示入力を受け付ける。
【０１０７】
通信部３４０は、ＣＰＵ３１からの命令およびネットワークＩ／Ｆ３７の処理により実現され、ネットワーク２Ｎで接続された他の装置との通信を制御する。
【０１０８】
表示処理部３５０は、ＣＰＵ３１がＲＡＭ３３を作業領域としてＲＯＭ３２またはＨＤＤ３４を実行することによって実現され、ディスプレイ３５に表示する表示画面を制御する機能を実行する。
【０１０９】
読出・書込処理部３６０は、ＣＰＵ３１がＲＡＭ３３を作業領域としてＲＯＭ３２またはＨＤＤ３４を実行することによって実現され、記憶部３７０に各種データを記憶したり、記憶された各種データを読み出したりする機能を実行する。
【０１１０】
記憶部３７０は、ＲＯＭ３２またはＨＤＤ３４の処理によって実行され、各種プログラムやデータ、動作に必要な各種設定情報等を記憶する機能を実行する。ＲＡＭ３３の一時的な記憶機能により実行してもよい。
【０１１１】
図１４は本情報処理システムの処理説明するシーケンス図である。詳細には、図６のフローチャートのステップＳ５において、回答が“協力する”だった場合に画像処理装置１０とサーバ装置２０がどのように動作するかを説明する図である。図１４中、Ｓ１−２〜Ｓ１４−２が、図６のＳ１〜Ｓ１４に対応している。
【０１１２】
なお、画像処理装置１０、サーバ装置２０と端末装置３０間のやり取りは、それぞれの通信部１４０、通信部２４０、通信部３４０を通じ、ネットワーク２を介して行われる。
【０１１３】
まず画像処理装置１０の入力受付部１３０がユーザによるジョブ実行指示、つまり  コピー機能、スキャナ機能、ＯＣＲ機能などの処理実行指示、を受け付ける（Ｓ１−１）。すると協力依頼処理部１８１が、ユーザにユーザが指示したジョブを実行した結果である画像データやテキストデータ、その他設定情報などを収集することについて、了承を得るための協力依頼処理を行う（Ｓ２−１）。協力依頼処理の一例としては、表示処理部に対し、協力依頼画面の表示を指示する。
【０１１４】
ここで図８および図１５を用いて、表示される協力依頼画面の他の例を示す。図８は前述通り、第一の協力依頼画面としての協力確認画面である。図１６が第二の協力依頼画面としての電子メールアドレス入力画面である。
【０１１５】
図８の「協力する」ボタンが入力されると、本実施形態では、図１５の画面が表示される。図１５にはユーザへのメッセージとして「品質向上のためのアンケート回答用ＵＲＬを送信します。」「メールアドレスの入力をお願いします。」と表示される。「メールアドレスの入力をお願いします。」というメッセージには画面上で下線が付されており、ユーザが項目をタッチすることでメールアドレス入力用画面が開く。ユーザはメールアドレス入力用画面でアンケートの送信を希望するメールアドレスを入力することができる。
【０１１６】
図１５の画面にはさらに、確定ボタンとキャンセルボタンが表示されている。メールアドレス入力後、確定ボタンが入力されると、第一の協力依頼画面、第二の協力依頼画面への入力内容が確定される。キャンセルボタンが入力されると、第二の協力依頼画面の入力結果であるメールアドレスの入力についてはキャンセルすることもできる。なお、第一のアンケート画面、第二のアンケート画面を図８、図１５の二つに分けて表示する例を示したが、一つの画面に表示させてもよい。
【０１１７】
図１４の説明に戻る。依頼結果受付部１８２は、ユーザが操作パネル１２７からアンケート協力依頼に対して入力した結果を受け付ける（Ｓ３−２）。その後、ジョブ実行部１８３は、ユーザが指示したジョブを実行する（Ｓ４−２）。
【０１１８】
次に依頼結果判断部１８４は、協力依頼画面へユーザの入力結果が“協力する”であるかどうかを判断する（Ｓ５−２）。“協力する”であった場合は、データ送信部１８５が、ジョブ結果である画像データやテキストデータ、各種設定情報をデータ受付部２９１に送信する（Ｓ６−２）。送信されたデータはサーバ装置２０の受付部２９１が受け付ける（Ｓ７−２）。受け付けられたデータは、読出・書込処理部２６０が結果記憶部２７１に記憶する（Ｓ８−２）。結果記憶部２７１に記憶されたデータは、例えば管理者等が参照して各ジョブの品質向上を図るための情報として利用できる。
【０１１９】
そしてアンケート情報取得部２９２は、アンケート情報記憶部２７２にあらかじめ記憶されている表１を参照して、ユーザが実行したジョブ内容に応じたアンケート情報を取得する（Ｓ９−２）。アンケート情報出力部２９３は、取得したアンケートをユーザに対して出力する（Ｓ１０−２）。本実施形態では、出力する例として、端末装置３０にアンケート回答用サイトのＵＲＬを含む電子メールを送信する。ユーザが端末装置３０の操作部３６を操作してＵＲＬにアクセスすると、表示処理部３５０は端末装置３０のディスプレイ３５に対し、アンケート回答用サイトの内容の表示を指示する。ユーザがアンケート内容を把握した上で、ユーザにとっての操作部である操作部３６を操作してアンケートに対する回答を入力できれば出力方法はこれに限られず、映像や音声の出力などであってもよい。
【０１２０】
アンケート画面の一例としては、図９で説明した画面などが表示される。また本実施形態ではＵＲＬを含む電子メールアドレスを第二の協力依頼画面でユーザに入力させているが、本情報処理システム１を利用するユーザ登録情報として電子メールアドレスを登録しておき、本システムにログインするＩＤと対応づけられて登録された電子メールアドレスに送信してもよい。
【０１２１】
図１４の説明に戻ると、ユーザが操作部３６を操作してアンケートに対する回答である結果を入力すると、アンケート結果受付部２９４は、その結果を受け付ける（Ｓ１１−２）。そして読出・書込処理部２６０が、アンケート結果受付部２９４が受け付けたデータを結果記憶部２７１に記憶する（Ｓ１２−２）。
【０１２２】
その後、クーポン情報取得部２９５は、入力されたアンケート結果に基づき、クーポン情報記憶部２７３にあらかじめ記憶された表２を参照して、クーポン情報を取得する（Ｓ１３−２）。つまり、アンケート結果の性別、年齢、その他入力文の中の特定のキーワードなどから、アンケートに回答したユーザに応じたクーポン情報を取得する。
【０１２３】
そして、クーポン情報出力部２９６は、取得したクーポン情報をユーザに対して出力する（Ｓ１４−２）。ユーザに対して出力する例としては、端末装置３０に対し、クーポンの電子情報を送信したり、ディスプレイ３５にクーポンとして使える２次元バーコードを表示させたりするなどすればよい。ユーザが店舗やインターネット等で取引を行う際に、取引相手に提示したり、必要に応じて渡したりすることができればクーポン情報の出力方法はこれらに限られない。
【０１２４】
第二の実施形態においては、第一の実施形態の効果に加え、端末装置３０にアンケートを送付している為、ユーザは画像処理装置１０の利用後、回答しやすい時間に回答をすることができる。アンケートの回答をしやすくなり、さらにアンケートの回答率を上げることができる。
【０１２５】
以下、第三の実施形態について説明する。図１６は第三の実施形態の画像処理装置１０を示す図である。
【０１２６】
第三の実施形態においては、画像処理装置１０が、第一の実施形態においてサーバ装置２０が有していた記憶部２７０に該当する記憶部１７０を有する。第一の実施形態における結果記憶部２７１、アンケート情報記憶部２７２、クーポン情報記憶部２７３がそれぞれ、図１６の結果記憶部１７１、アンケート情報記憶部１７２、クーポン情報記憶部１７３に該当する。
【０１２７】
第三の実施形態においては、画像処理装置１０が、第一の実施形態においてサーバ装置２０が有していたアンケート処理部２９０に該当するアンケート処理部１９０を有する。第一の実施形態におけるデータ受付部２９１、アンケート情報取得部２９２、アンケート情報出力部２９３、アンケート結果受付部２９４、クーポン情報取得部２９５、クーポン情報出力部２９６がそれぞれ、第一の実施形態におけるデータ受付部１９１、アンケート情報取得部１９２、アンケート情報出力部１９３、アンケート結果受付部１９４、クーポン情報取得部１９５、クーポン情報出力部１９６に該当する。
【０１２８】
第三の実施形態においては、第一の実施形態の効果に加え、図６のフロー図で説明した処理を画像処理装置１０のみで処理可能である。
【符号の説明】
【０１２９】
１  情報処理システム
１０  画像処理装置
２０  サーバ装置
３０  端末装置
２５，３５  ディスプレイ
１２７  操作パネル
１３０  入力受付部
１７１，２７１  結果記憶部
１８０  データ取得処理部
１９０，２９０  アンケート処理部
【先行技術文献】
【特許文献】
【０１３０】
【特許文献１】特開２０１１−１８２１１号公報
【図１】
2019175339.tif 000006
【図２】
2019175339.tif 000007
【図３】
2019175339.tif 000008
【図４】
2019175339.tif 000009
【図５】
2019175339.tif 000010
【図６】
2019175339.tif 000011
【図７】
2019175339.tif 000012
【図８】
2019175339.tif 000013
【図９】
2019175339.tif 000014
【図１０】
2019175339.tif 000015
【図１１】
2019175339.tif 000016
【図１２】
2019175339.tif 000017
【図１３】
2019175339.tif 000018
【図１４】
2019175339.tif 000019
【図１５】
2019175339.tif 000020
【図１６】
2019175339.tif 000021